(57)【要約】【課題】下位階層にある機能への切替表示を迅速に行うことができる検出センサを提供する。【解決手段】ファイバセンサ１０は、階層構造に分類された複数の機能を１つずつ表示可能なデジタル表示部１２と、選択スイッチ１６，１７の所定の操作によって、デジタル表示部１２に表示される機能を予め決まった順番に順次切替表示するＣＰＵ２５とを備え、選択スイッチ１６，１７及び決定スイッチ１８の操作に基づいてデジタル表示部１２に現在表示されている機能に関する動作内容が設定される。ＣＰＵ２５は、選択スイッチ１６，１７の予め決められた特別な操作によって、デジタル表示部１２に表示される機能を、順番に関係なく、下位階層の特定の機能に切替表示する。【選択図】図２
2007298367.tif 000002
【特許請求の範囲】
【請求項１】
階層構造に分類された複数の機能を１つずつ表示可能な表示手段と、
操作手段と、
前記操作手段の所定の操作によって、前記表示手段に表示される機能を予め決まった順番に順次切替表示する表示制御手段と、
前記表示手段に現在表示されている機能に関する動作内容の設定を行う設定手段と、
を備える検出センサにおいて、
前記表示制御手段は、前記操作手段の予め決められた特別な操作によって、前記表示手段に表示される機能を、前記順番に関係なく、下位階層の特定の機能に切替表示することを特徴とする検出センサ。
【請求項２】
請求項１に記載の検出センサにおいて、
前記下位階層の特定の機能は、複数の機能に関する動作内容を、それらに対応するコードによって設定可能な機能であることを特徴とする検出センサ。
【請求項３】
請求項２に記載の検出センサにおいて、
前記コードは、前記表示手段に表示可能な複数桁の文字・数字・記号からなり、
前記複数桁のうちの少なくとも１桁については、複数の機能に関する動作内容が割り付けられていることを特徴とする検出センサ。
【請求項４】
請求項２に記載の検出センサにおいて、
前記コードは、前記表示手段に表示可能な文字・数字・記号からなり、
前記コードには、複数の機能に関する動作内容が割り付けられていることを特徴とする検出センサ。
【請求項５】
請求項２〜４のいずれか一項に記載の検出センサにおいて、
前記表示手段に前記コードが表示されているとき、前記表示制御手段は、前記操作手段の予め決められた所定の操作によって、前記コードに割り付けられている前記複数の機能に関する動作内容を前記表示手段に表示することを特徴とする検出センサ。
【請求項６】
請求項５に記載の検出センサにおいて、
前記表示手段は、第１表示部及び第２表示部からなり、
前記表示制御手段は、前記第１表示部に前記コードを、前記第２表示部に、そのコードに割り付けられている前記複数の機能に関する動作内容を表示させることを特徴とする検出センサ。
【発明の詳細な説明】
【技術分野】
【０００１】
本発明は、検出センサに関するものである。
【背景技術】
【０００２】
近年、光電センサ等の検出センサは多機能化の傾向にあり、使用時に設定すべき設定項目が多岐にわたっている。一方、このような検出センサでは、センサ本体の小型化の要求があるため、これらの機能を表示するディスプレイ等の表示手段を小型化せざるを得ない。このため、複数の機能を階層構造に分類するとともに、表示手段に階層構造をなす機能を１つずつ順番に切替表示させるものが知られている（例えば、特許文献１、２など）。この場合、ユーザは、表示手段に現在表示されている機能を視認しつつ、上位階層又は下位階層の機能へ切替表示させることにより、所望の機能に対応する設定項目を選択・設定することになる。
【特許文献１】特開２００５−２０８０２２号公報
【特許文献２】特開２００５−１９５６３１号公報
【発明の開示】
【発明が解決しようとする課題】
【０００３】
ところで、複数の機能を階層構造に分類する際には、汎用性の高い基本的な機能を上位階層として、全般的な利便性の向上を優先させることが一般的である。従って、高度な機能は下位階層に配置されることになり、当該機能を使いこなせるユーザにとっては、その対応する設定項目の選択・設定に手間取るものになる。
【０００４】
本発明の目的は、下位階層にある機能への切替表示を迅速に行うことができる検出センサを提供することにある。
【課題を解決するための手段】
【０００５】
上記問題点を解決するために、請求項１に記載の発明は、階層構造に分類された複数の機能を１つずつ表示可能な表示手段と、操作手段と、前記操作手段の所定の操作によって、前記表示手段に表示される機能を予め決まった順番に順次切替表示する表示制御手段と、前記表示手段に現在表示されている機能に関する動作内容の設定を行う設定手段と、を備える検出センサにおいて、前記表示制御手段は、前記操作手段の予め決められた特別な操作によって、前記表示手段に表示される機能を、前記順番に関係なく、下位階層の特定の機能に切替表示することを要旨とする。
【０００６】
同構成によれば、前記操作手段の予め決められた特別な操作によって、前記表示制御手段により、前記表示手段に表示される機能は、前記予め決まった順番に関係なく、前記下位階層の特定の機能に切替表示される。従って、階層構造に分類された複数の機能を前記表示手段に１つずつ表示する構成であっても、前記下位階層の特定の機能にジャンプして一発で切替表示させることができる。これにより、ユーザは、前記設定手段による当該機能に関する動作内容の設定を迅速に行うことができる。
【０００７】
請求項２に記載の発明は、請求項１に記載の検出センサにおいて、前記下位階層の特定の機能は、複数の機能に関する動作内容を、それらに対応するコードによって設定可能な機能であることを要旨とする。
【０００８】
同構成によれば、前記下位階層の特定の機能を利用することで、複数の機能に関する動作内容を、それらに対応するコードによってまとめて設定することができる。
請求項３に記載の発明は、請求項２に記載の検出センサにおいて、前記コードは、前記表示手段に表示可能な複数桁の文字・数字・記号からなり、前記複数桁のうちの少なくとも１桁については、複数の機能に関する動作内容が割り付けられていることを要旨とする。
【０００９】
同構成によれば、前記コードの複数桁のうちの少なくとも１桁については、複数の機能に関する動作内容が割り付けられていることで、設定に係る機能数に応じて前記コードを表示するために要する前記表示手段の桁数が徒に増えることが回避され、ひいては検出センサとしての大型化を抑制することができる。
【００１０】
請求項４に記載の発明は、請求項２に記載の検出センサにおいて、前記コードは、前記表示手段に表示可能な文字・数字・記号からなり、前記コードには、複数の機能に関する動作内容が割り付けられていることを要旨とする。
【００１１】
同構成によれば、前記下位階層の特定の機能を利用することで、複数の機能に関する動作内容を、それらに対応するコードによってまとめて設定することができる。
請求項５に記載の発明は、請求項２〜４のいずれか一項に記載の検出センサにおいて、前記表示手段に前記コードが表示されているとき、前記表示制御手段は、前記操作手段の予め決められた所定の操作によって、前記コードに割り付けられている前記複数の機能に関する動作内容を前記表示手段に表示することを要旨とする。
【００１２】
同構成によれば、前記表示手段に前記コードが表示されているとき、前記操作手段の予め決められた所定の操作によって、前記コードに割り付けられている前記複数の機能に関する動作内容が、前記表示制御手段により、前記表示手段に表示される。従って、ユーザは、前記コードに割り付けられている前記複数の機能に関する動作内容を、例えばマニュアル等を参照することなく容易に確認することができる。
【００１３】
請求項６に記載の発明は、請求項５に記載の検出センサにおいて、前記表示手段は、第１表示部及び第２表示部からなり、前記表示制御手段は、前記第１表示部に前記コードを、前記第２表示部に、そのコードに割り付けられている前記複数の機能に関する動作内容を表示させることを要旨とする。
【００１４】
同構成によれば、前記コードを見ながらそのコードに割り付けられている前記複数の機能に関する動作内容を確認でき、わかりやすくできる。
【発明の効果】
【００１５】
請求項１乃至６に記載の発明では、下位階層にある機能への切替表示を迅速に行うことができる検出センサを提供することができる。
【発明を実施するための最良の形態】
【００１６】
（第１の実施形態）
以下、本発明を検出センサとしてのファイバセンサに具体化した第１の実施形態について図１〜図６に従って説明する。
【００１７】
図１及び図２は、本実施形態のファイバセンサ１０を示す平面図及びブロック図である。図１に示すように、ファイバセンサ１０の外形をなすセンサ本体１１は、略直方体に成形されるとともに、その上面には、例えば８桁表示可能な表示手段としてのデジタル表示部１２が設置され、更に該デジタル表示部１２の一側（図１の左側）に隣接して、例えばＬＥＤ（発光ダイオード）ランプからなる動作表示灯１３が設置される。なお、上記デジタル表示部１２には、ファイバセンサ１０の備える複数の機能（例えば、検出用閾値の設定、微調整等）が１つずつ表示される。このデジタル表示部１２は、下４桁を表示するための４つの７セグメントＬＥＤ１４ａ〜１４ｄからなる第１表示部１４と、上４桁を表示するための４つの７セグメントＬＥＤ１５ａ〜１５ｄからなる第２表示部１５とが直列に接続される態様で構成されている。
【００１８】
また、センサ本体１１の上面には、デジタル表示部１２の他側（図１の右側）に隣接して、互いに逆向きで配置された一対の三角形状の選択スイッチ１６，１７が設置されるとともに、一方の選択スイッチ１７の他側（図１の右側）に隣接して、四角形状の決定スイッチ１８が設置される。選択スイッチ１６，１７は、それぞれの押圧操作により基本的にデジタル表示部１２に表示される機能等を互いに逆方向の順番で順次、切り替えるためのものであり、決定スイッチ１８は、その押圧操作によりデジタル表示部１２に表示される現在の機能等を決定するためのものである。作業者（ユーザ）により操作されるこれら選択スイッチ１６，１７及び決定スイッチ１８は、操作手段及び設定手段を構成する。
【００１９】
図２に示すように、ファイバセンサ１０は、投光素子２１を備えた投光回路２２と、投光素子２１に対向配置される受光素子２３を備えた受光回路２４と、ＣＰＵ２５とを備えて構成される。投光回路２２は、ＣＰＵ２５からのパルス信号を受けて投光素子２１を周期的に発光させる。そして、投光素子２１から出射され受光素子２３に至った光は、該受光素子２３にて光電変換され受光回路２４で増幅されて、受光素子２３での受光量に応じたレベルの出力信号としてＣＰＵ２５に出力される。
【００２０】
本実施形態では、前記投光素子２１及び受光素子２３は、例えば順次搬送される被検出物体Ｗの搬送経路（同図で白抜き矢印方向）を横から挟むように対向配置されており、投光素子２１及び受光素子２３間の光路（検出領域）内への被検出物体Ｗの進入量に応じたレベルの出力信号（アナログ信号）が受光回路２４から出力されるように構成されている。ＣＰＵ２５は、この出力信号のレベルと所定の検出用閾値とを大小比較し、その比較結果に応じて反転する検出信号を出力回路２６に出力するとともに、前記動作表示灯１３を点灯させる。
【００２１】
また、ＣＰＵ２５は、前記デジタル表示部１２の７セグメントＬＥＤ１４ａ〜１４ｄ，１５ａ〜１５ｄを表示回路２７を介して駆動し該デジタル表示部１２に文字・数字・記号を表示するとともに、前記選択スイッチ１６，１７及び決定スイッチ１８の操作入力をスイッチ入力回路２８を介して検出する。選択スイッチ１６，１７又は決定スイッチ１８の操作に応じて、デジタル表示部１２の表示（切替表示）を制御するＣＰＵ２５は、表示制御手段を構成する。
【００２２】
本実施形態では、前記デジタル表示部１２に表示される各機能は、関連するもの同士がまとめられて上層（上位階層）、中層（中位階層）及び下層（下位階層）の３層の階層構造に分類されており、前記選択スイッチ１６，１７又は決定スイッチ１８の操作（切替操作）に応じて各階層の機能がデジタル表示器２１に切替表示されるようになっている。なお、汎用性の高い基本的な機能は、最上位の層である上層に分類されるとともに、高度な機能は、最下位の層である下層に分類されている。
【００２３】
具体的には、図３（ａ）に示すように、上層には、「ＲＵＮ（被検出物体Ｗの検出動作を実行する通常検出状態）」、「ＴＥＡＣＨ（検出用閾値の設定）」、「ＡＤＪ（検出用閾値の微調整）」、「Ｌ／Ｄ  ＯＮ（入光時ＯＮ／入光時ＯＮの設定）」、「ＴＩＭＥＲ（タイマ動作の設定）」、「ＰＲＯ（詳細設定）」の各機能が分類されている。また、図３（ｂ）に示すように、上層の一段下位の層である中層には、「Ｐｒｏ１」〜「Ｐｒｏ５」の各機能が分類されている。さらに、図３（ｂ）に機能「Ｐｒｏ５」の場合を代表して示したように、中層の一段下位の層である下層には、「ＣｏｄＥ」、「Ａ＿Ｌｃ（通常検出状態における検出用閾値の微調整）」、「ｒＳＥＴ（リセット）」、「ＩｎＰｒ（干渉防止切替）」の各機能が分類されている。なお、機能「ＣｏｄＥ」は、上層の機能も含めた複数の機能に関する動作内容等を、それらに対応するコードによって設定可能とする機能である。
【００２４】
ここで、前記選択スイッチ１６，１７又は決定スイッチ１８の操作と、これに対応するデジタル表示部１２の表示内容との関係について説明する。
本実施形態では、通常検出状態において、第１表示部１４に検出用閾値が表示されるとともに、第２表示部１５に受光量が表示される。このとき、前記決定スイッチ１８が押圧操作されると、デジタル表示部１２の下４桁の第１表示部１４に上層の機能「ＲＵＮ」が表示される。この状態で、前記選択スイッチ１６，１７のいずれか一方が押圧操作されると、図３（ａ）に示すように、前記第１表示部１４に表示される上層の機能がその操作回数に応じて、「ＲＵＮ」→「ＴＥＡＣＨ」→「ＡＤＪ」→「Ｌ／Ｄ  ＯＮ」→「ＴＩＭＥＲ」→「ＰＲＯ」→「ＲＵＮ」の順番（予め決まった順番）でループ状に切り替えられる。また、前記選択スイッチ１６，１７のいずれか他方が押圧操作されると、その操作回数に応じて前記第１表示部１４に表示される上層の機能が、上記とは逆向きの順番でループ状に切り替えられる。
【００２５】
さらに、例えば第１表示部１４に上層の機能「ＲＵＮ」、「ＴＥＡＣＨ」、「ＡＤＪ」、「Ｌ／Ｄ  ＯＮ」及び「ＴＩＭＥＲ」のいずれかが表示されている状態で、前記決定スイッチ１８が押圧操作されると、当該機能に係る処理が許容される。あるいは、第１表示部１４に上層の機能「ＰＲＯ」が表示されている状態で、前記決定スイッチ１８が押圧操作されると、図３（ｂ）に示すように、前記第１表示部１４に表示される機能が一段下位の層である中層の機能「Ｐｒｏ１」に切り替えられる。そして、この状態で、前記選択スイッチ１６，１７のいずれか一方が押圧操作されると、前記第１表示部１４に表示される中層の機能がその操作回数に応じて、「Ｐｒｏ１」→「Ｐｒｏ２」→「Ｐｒｏ３」→「Ｐｒｏ４」→「Ｐｒｏ５」→「Ｐｒｏ１」の順番（予め決まった順番）でループ状に切り替えられる。また、前記選択スイッチ１６，１７のいずれか他方が押圧操作されると、その操作回数に応じて前記第１表示部１４に表示される中層の機能が、上記とは逆向きの順番でループ状に切り替えられる。
【００２６】
さらにまた、例えば第１表示部１４に中層の機能「Ｐｒｏ５」が表示されている状態で、前記決定スイッチ１８が押圧操作されると、前記第１表示部１４に表示される機能が一段下位の層である下層の機能「ＣｏｄＥ」に切り替えられる。そして、この状態で前記選択スイッチ１６，１７のいずれか一方が押圧操作されると、前記第１表示部１４に表示される下層の機能がその操作回数に応じて、「ＣｏｄＥ」→「Ａ＿Ｌｃ（通常検出状態における検出用閾値の微調整）」→「ｒＳＥＴ（リセット）」→「ＩｎＰｒ（干渉防止切替）」→「ＣｏｄＥ」の順番（予め決まった順番）でループ状に切り替えられる。また、前記選択スイッチ１６，１７のいずれか他方が押圧操作されると、その操作回数に応じて前記第１表示部１４に表示される下層の機能が、上記とは逆向きの順番でループ状に切り替えられる。
【００２７】
さらに、例えば第１表示部１４に下層の機能「ＣｏｄＥ」が表示されている状態で、前記決定スイッチ１８が押圧操作されると、デジタル表示部１２の上４桁の第２表示部１５へのコード入力が許容される。
【００２８】
図４に示すように、第２表示部１５へのコード入力が許容される状態では、第２表示部１５の各桁（７セグメントＬＥＤ１５ａ〜１５ｄ）に表示されるコード（ダイレクトコード）を順次選択・決定することで、設定に係る複数の機能に関する動作内容が一括して設定される。本実施形態では、第２表示部１５の１桁目（７セグメントＬＥＤ１５ａ）には、「応答時間（応答時間の設定）」及び「ヒステリシス（ヒステリシスの設定）」の各機能に関する動作内容が割り付けられるとともに、２桁目（７セグメントＬＥＤ１５ｂ）には、上層の「Ｌ／Ｄ  ＯＮ」及び「表示（デジタル表示部の表示設定）」の各機能に関する動作内容が割り付けられる。また、第２表示部１５の３桁目（７セグメントＬＥＤ１５ｃ）には、前述の「アジャストロック」及び上層の「ＴＩＭＥＲ」の各機能に関する動作内容が割り付けられるとともに、４桁目（７セグメントＬＥＤ１５ｄ）には、「タイマ時間（タイマ時間の設定）」の機能に関する動作内容が割り付けられる。
【００２９】
図５は、第２表示部１５の各桁に表示される文字・数字・記号からなるコードと、これに対応して割り付けられている動作内容との関係を示す一覧図である。同図に示したように、１桁目にはコードとして０〜９の数字が表示されるようになっており、それらの各数字には、機能「応答時間」に関する４種類の動作内容［ＳＴＤ／ＬＯＮＧ／ＦＡＳＴ／Ｓ−Ｄ］と、機能「ヒステリシス」に関する３種類の動作内容［標準／大きい／小さい］との１０通りの組合せが割り付けられている。また、２桁目にはコードとして０〜７の数字が表示されるようになっており、それらの各数字には、機能「Ｌ／Ｄ  ＯＮ」に関する２種類の動作内容［Ｌ  ＯＮ／Ｄ  ＯＮ］と、機能「表示」に関する４種類の動作内容［ｄｉｇｉｔ／パーセント／ピークホールド／ボトムホールド］との８通りの組合せが割り付けられている。さらに、３桁目にはコードとして０〜７の数字が表示されるようになっており、それらの各数字には、機能「アジャストロック」に関する２種類の動作内容［ＯＮ／ＯＦＦ］と、機能「ＴＩＭＥＲ」に関する４種類の動作内容［ＮＯＮ（なし）／オフディレイ／オンディレイ／ワンショット］との８通りの組合せが割り付けられている。さらにまた、４桁目にはコードとして０〜９の数字又はＡ〜Ｅの文字が表示されるようになっており、それらの各数字等には、機能「タイマ時間」に関する１５種類の動作内容が割り付けられている。
【００３０】
各桁のコードの入力・表示にあたっては、前述の態様で第２表示部１５へのコード入力が許容される段階で、まず、第２表示部１５の１桁目へのコード入力が許容される。この状態で、前記選択スイッチ１６，１７のいずれか一方が押圧操作されると、第２表示部１５の１桁目に表示されるコードがその操作回数に応じて、１つずつ繰り上がり、再び「０」に戻るようにループ状に切り替えられる。また、前記選択スイッチ１６，１７のいずれか他方が押圧操作されると、その操作回数に応じて第２表示部１５の１桁目に表示されるコードが、上記とは逆向きの順番でループ状に切り替えられる。
【００３１】
さらに、例えば第２表示部１５の１桁目に所要のコードが表示されている状態で、前記決定スイッチ１８が押圧操作されると、当該コードが決定されるとともに、第２表示部１５の２桁目へのコード入力が許容される。以下、同様にして、コード入力が許容される第２表示部１５の各桁に順次、所要のコードを表示させるとともに当該コードを決定させることで、上述の機能に関する動作内容が一括して設定される。
【００３２】
また、本実施形態では、図６（ａ）に示したように、第１及び第２表示部１４，１５にそれぞれ検出用閾値及び受光量が表示される通常検出状態において、例えば前記選択スイッチ１６，１７を同時に所定時間（例えば１秒）以上押圧操作するといった、予め決められた特別な操作をすると、前述の階層構造に関わらず、図６（ｂ）に示したように、第１及び第２表示部１４，１５にそれぞれ「ＣｏｄＥ」及び「ｑＩｃＫ」が表示される。そして、この状態で、前記決定スイッチ１８が押圧操作されると、図６（ｃ）に示したように、第２表示部１５の表示が現在設定されているコード（ここでは、「００００」）に切り替えられるとともに、当該第２表示部１５へのコード入力（変更）が許容される。これにより、前述の態様で、順次、第２表示部１５の各桁に所要のコードが表示されるとともに、該コードが決定される。図６（ｄ）では、コードが「４３１７」に設定された場合を一例として示している。
【００３３】
以上詳述したように、本実施形態によれば、以下に示す効果が得られるようになる。
（１）本実施形態では、選択スイッチ１６，１７の予め決められた特別な操作によって、ＣＰＵ２５により、デジタル表示部１２（第１表示部１４）に表示される機能は、予め決まった順番に関係なく、下層の特定の機能「ＣｏｄＥ」に切替表示される。従って、全般的な利便性の向上を優先させるため、汎用的な機能が上層とされ、高度な機能が下層とされるように階層構造に分類された複数の機能をデジタル表示部１２に１つずつ表示する構成であっても、下層の特定の機能（高度な機能）「ＣｏｄＥ」にジャンプして一発で切替表示させることができる。これにより、作業者等のユーザは、選択スイッチ１６，１７及び決定スイッチ１８による当該機能に関する動作内容の設定を迅速に行うことができる。そして、該当の高度な機能「ＣｏｄＥ」を使いこなせるユーザにおいても、操作性を向上させることができる。
【００３４】
（２）本実施形態では、下層の特定の機能「ＣｏｄＥ」を利用することで、複数の機能に関する動作内容を、それらに対応するコードによってまとめて設定することができる。特に、本実施形態では、上層とされた複数の機能（「Ｌ／Ｄ  ＯＮ」、「ＴＩＭＥＲ」）に関する動作内容を、それらに対応するコードによってまとめて設定することができる。
【００３５】
（３）本実施形態では、コードの１〜３桁のぞれぞれについては、複数の機能に関する動作内容が割り付けられていることで、設定に係る機能数に応じてコードを表示するために要するデジタル表示部１２（第２表示部１５）の桁数が徒に増えることが回避され、ひいてはファイバセンサ１０としての大型化を抑制することができる。
【００３６】
（４）本実施形態では、高度であるものの、便利且つ有効な機能（「ＣｏｄＥ」）を容易に利用することができる。
（第２の実施形態）
以下、本発明を検出センサとしてのファイバセンサに具体化した第２の実施形態について図７〜図１１に従って説明する。なお、第２の実施形態は、第１の実施形態のコードとして、クイックナンバーを採用したものであるため、同様の部分についてはその詳細な説明は省略する。
【００３７】
図７に示すように、デジタル表示部１２の下４桁の第１表示部１４に中層の機能「Ｐｒｏ５」が表示されている状態で、前記決定スイッチ１８が押圧操作されると、前記第１表示部１４に表示される機能が一段下位の層である下層の機能「ＳＥｔ」に切り替えられる。そして、この状態で、前記決定スイッチ１８が押圧操作されると、デジタル表示部１２の上４桁の第２表示部１５へのクイックナンバー入力が許容される。
【００３８】
図８に示すように、第２表示部１５へのクイックナンバー入力が許容される状態では、第２表示部１５に表示されるクイックナンバーを選択・決定することで、設定に係る複数の機能に関する動作内容が一括して設定される。すなわち、図９に、第２表示部１５に表示される１〜２４までの数字からなるクイックナンバーと、これに対応して割り付けられている動作内容との関係を一覧図で示したように、クイックナンバーには、複数の機能に関する各２種類の動作内容［Ｌ  ＯＮ／Ｄ  ＯＮ］、［タイマＯＮ／なし］、［Ｅｃｏ（デジタル表示部の消灯）／なし（点灯）］、［リミットティーチング／なし］、［投光停止／なし］の２４通りの組合せが割り付けられている。
【００３９】
クイックナンバーの入力・表示にあたっては、前述の態様で第２表示部１５へのクイックナンバー入力が許容される状態で、前記選択スイッチ１６，１７のいずれか一方が押圧操作されると、第２表示部１５に表示されるクイックナンバーがその操作回数に応じて、１つずつ繰り上がり、再び「０」に戻るようにループ状に切り替えられる。また、前記選択スイッチ１６，１７のいずれか他方が押圧操作されると、その操作回数に応じて第２表示部１５に表示されるクイックナンバーが、上記とは逆向きの順番でループ状に切り替えられる。
【００４０】
そして、第２表示部１５に所要のクイックナンバーが表示されている状態で、前記決定スイッチ１８が押圧操作されると、当該クイックナンバーが決定される。以上により、上述の機能に関する動作内容が一括して設定される。
【００４１】
また、本実施形態では、図１０（ａ）に示したように、第１及び第２表示部１４，１５にそれぞれ検出用閾値及び受光量が表示される通常検出状態において、例えば前記選択スイッチ１６，１７を同時に所定時間（例えば１秒）以上押圧操作するといった、予め決められた特別な操作をすると、前述の階層構造に関わらず、図１０（ｂ）に示したように、第１及び第２表示部１４，１５にそれぞれ「ＳＥｔ」及び「ｑＩｃＫ」が表示される。そして、この状態で、前記決定スイッチ１８が押圧操作されると、図１０（ｃ）に示したように、第２表示部１５の表示が現在設定されているクイックナンバー（ここでは、「０００１」）に切り替えられるとともに、当該第２表示部１５へのクイックナンバー入力（変更）が許容される。これにより、前述の態様で、第２表示部１５に所要のクイックナンバーが表示されるとともに、該クイックナンバーが決定される。図１０（ｄ）では、クイックナンバーが「０００７」に設定された場合を一例として示している。
【００４２】
さらに、本実施形態では、図１１（ａ）に示したように、第２表示部１５へのクイックナンバー入力（変更）が許容され、第２表示部１５にクイックナンバーが表示される状態において、例えば前記選択スイッチ１６，１７を同時に所定時間（例えば１秒）以上押圧操作するといった、予め決められた所定の操作をすると、図１１（ｂ）（ｃ）（ｄ）に示したように、第１表示部１４に当該クイックナンバーに対応する前述の各機能に関する動作内容が所定時間（例えば１０秒）間隔で順番に表示される。具体的には、クイックナンバー「０００７」に対応する動作内容である［Ｌ  ＯＮ］、［タイマＯＮ］及び［Ｅｃｏ］が所定時間間隔で第１表示部１４に順番に表示される。これにより、クイックナンバーの内容が不明であっても、図９に示した一覧図等のマニュアルを参照することなく、対応する動作内容が容易に確認される。
【００４３】
以上詳述したように、本実施形態によれば、前記第１の実施形態と同様の効果に加えて以下に示す効果が得られるようになる。
（１）本実施形態では、デジタル表示部１２（第２表示部１５）にクイックナンバーが表示されているとき、選択スイッチ１６，１７の予め決められた所定の操作によって、当該クイックナンバーに割り付けられている複数の機能に関する動作内容が、ＣＰＵ２５により、予め決まった順番にデジタル表示部１２（第１表示部１４）に順次切替表示される。従って、作業者等のユーザは、クイックナンバーに割り付けられている複数の機能に関する動作内容を、例えばマニュアル等を参照することなく容易に確認することができる。
【００４４】
（２）本実施形態では、第２表示部１５にコードを、第１表示部１４に、そのコードに割り付けられている複数の機能に関する動作内容を表示させることで、前記コードを見ながらそのコードに割り付けられている前記複数の機能に関する動作内容を確認でき、わかりやすくできる。
【００４５】
なお、上記実施形態は以下のように変更してもよい。
・前記第１の実施形態において、デジタル表示部１２（第２表示部１５）にコードが表示されているとき、選択スイッチ１６，１７の予め決められた所定の操作によって、当該コードに割り付けられている複数の機能に関する動作内容を、予め決まった順番にデジタル表示部１２（第１表示部１４）に順次切替表示させてもよい。あるいは、このとき、デジタル表示部１２（第１表示部１４）に、そのコードに割り付けられている複数の機能に関する動作内容を同時に複数表示させてもよい。また、いずれかの場合において、第１表示部１４にコードを、第２表示部１５に、そのコードに割り付けられている複数の機能に関する動作内容を表示させてもよい。
【００４６】
・前記第１の実施形態において、コードの桁数は４桁に限定されるものではない。また、コードの複数桁のうちの少なくとも１桁について、複数の機能に関する動作内容を割り付ければよい。
【００４７】
・前記第１の実施形態において、デジタル表示部１２を４桁にし、機能「ＣｏｄＥ」及びコードを選択的に表示させてもよい。
・前記第２の実施形態において、デジタル表示部１２を４桁にし、機能「ＳＥｔ」及びクイックナンバーを選択的に表示させてもよい。
【００４８】
・前記第２の実施形態において、デジタル表示部１２（第２表示部１５）にクイックナンバーが表示されているとき、選択スイッチ１６，１７の予め決められた所定の操作によって、当該コードに割り付けられている複数の機能に関する動作内容を、デジタル表示部１２（第１表示部１４）に、そのクイックナンバーに割り付けられている複数の機能に関する動作内容を同時に複数表示させてもよい。また、いずれかの場合において、第１表示部１４にクイックナンバーを、第２表示部１５に、そのクイックナンバーに割り付けられている複数の機能に関する動作内容を表示させてもよい。
【００４９】
・前記各実施形態において、「ＣｏｄＥ」又は「ＳＥｔ」の各機能による設定終了後、例えば決定スイッチ１８を所定時間（例えば１秒）以上押圧操作するといった、所定の操作を行うことで、通常検出状態に復帰させてもよい。
【００５０】
・前記各実施形態において、デジタル表示部１２に表示される機能の階層構造は、２層又は４層以上であってもよい。
・前記各実施形態において、前記選択スイッチ１６，１７を同時に所定時間（例えば１秒）以上押圧操作したことによるデジタル表示部１２の表示切替は、当該時間に達した段階で行ってもよく、あるいは当該時間に達した後、当該選択スイッチ１６，１７の押圧操作が解放された段階で行ってもよい。
【００５１】
・前記各実施形態において、デジタル表示部１２の第１及び第２表示部１４，１５の各桁数は４桁に限定されるものではない。
・前記各実施形態において、デジタル表示部１２は、液晶による７セグメントで表示させてもよい。
【００５２】
・前記各実施形態において、選択スイッチ１６，１７及び決定スイッチ１８の機能を一体化したジョグスイッチ（登録商標）を採用してもよい。
【図面の簡単な説明】
【００５３】
【図１】本発明の第１の実施形態を示す平面図。
【図２】同実施形態を示すブロック図。
【図３】（ａ）（ｂ）は、同実施形態の機能の階層構造を示す説明図。
【図４】機能「ＣｏｄＥ」におけるデジタル表示部を示す説明図。
【図５】コードと動作内容との関係を示す一覧図。
【図６】（ａ）（ｂ）（ｃ）（ｄ）は、デジタル表示部の表示切替の推移を示す説明図。
【図７】本発明の第２の実施形態の機能の階層構造を示す説明図。
【図８】機能「ＳＥｔ」におけるデジタル表示部を示す説明図。
【図９】クイックナンバーと動作内容との関係を示す一覧図。
【図１０】（ａ）（ｂ）（ｃ）（ｄ）は、デジタル表示部の表示切替の推移を示す説明図。
【図１１】（ａ）（ｂ）（ｃ）（ｄ）は、デジタル表示部の表示切替の推移を示す説明図。
【符号の説明】
【００５４】
１０…ファイバセンサ、１２…表示手段としてのデジタル表示部、１４…第１表示部、１５…第２表示部、１６，１７…操作手段及び設定手段を構成する選択スイッチ、１８…操作手段及び設定手段を構成する決定スイッチ、２５…表示制御手段を構成するＣＰＵ。
【図１】
2007298367.tif 000003
【図２】
2007298367.tif 000004
【図３】
2007298367.tif 000005
【図４】
2007298367.tif 000006
【図５】
2007298367.tif 000007
【図６】
2007298367.tif 000008
【図７】
2007298367.tif 000009
【図８】
2007298367.tif 000010
【図９】
2007298367.tif 000011
【図１０】
2007298367.tif 000012
【図１１】
2007298367.tif 000013